(57)【要約】【課題】上りリンクにおける同期を確立する場合に、ＨＡＲＱプロセスにおける送達確認情報による上りリンク干渉の発生を抑制する。【解決手段】移動局ＵＥは、無線基地局ｅＮＢとの間で上りリンクにおける同期を確立するように構成されている。また、無線基地局ｅＮＢが、移動局ＵＥに対して、下りデータの送信用の無線リソースを割り当てた場合、移動局ＵＥは、上りリンクにおける送信タイミングを調整するためのコマンドを受信するまで、下りデータに対する送達確認情報を返送しないように構成されている。【選択図】  図１
2008244526.tif 000002
【特許請求の範囲】
【請求項１】
上りリンクにおける同期を確立するように構成されている移動局であって、
無線基地局が、前記移動局に対して、下りデータの送信用の無線リソースを割り当てた場合、上りリンクにおける送信タイミングを調整するためのコマンドを受信するまで、該下りデータに対する送達確認情報を返送しないように構成されていることを特徴とする移動局。
【請求項２】
前記無線リソースの割り当ては、セル内の移動局を個別に識別する識別子を用いて行われることを特徴とする請求項１に記載の移動局。
【請求項３】
前記送達確認情報は、ＨＡＲＱプロセスにおけるＡＣＫ又はＮＡＣＫであることを特徴とする請求項１に記載の移動局。
【請求項４】
移動局との間で上りリンクにおける同期を確立するように構成されている移動通信システムで用いられる無線基地局であって、
前記移動局に対して割り当てた該移動局を識別するためのデータ系列を指定する上り同期要求を送信するように構成されている上り同期要求送信部と、
前記移動局から前記データ系列を受信した場合、該移動局において前記上り同期要求の受信に成功したと判断して、上りリンクにおける送信タイミングを調整するためのコマンドを該移動局に対して送信するように構成されているコマンド送信部とを具備することを特徴とする無線基地局。
【請求項５】
前記データ系列は、ランダムアクセスチャネル用のプリアンブルであることを特徴とする請求項４に記載の無線基地局。
【請求項６】
無線基地局と移動局との間で上りリンクにおける同期を確立する同期確立方法であって、
前記無線基地局が、前記移動局に対して、前記下りデータの送信用の無線リソースを割り当てる工程と、
前記無線基地局が、前記移動局に対して割り当てた該移動局を識別するためのデータ系列を指定する上り同期要求を送信する工程と、
前記移動局が、前記上り同期要求の受信に成功した場合、前記上り同期要求により指定されている前記データ系列を前記無線基地局に対して通知する工程と、
前記無線基地局が、前記移動局から前記データ系列を受信した場合、該移動局において前記上り同期要求の受信に成功したと判断して、上りリンクにおける送信タイミングを調整するためのコマンドを該移動局に対して送信する工程とを有することを特徴とする同期確立方法。
【請求項７】
前記移動局は、前記無線基地局が該移動局に対して前記下りデータの送信用の無線リソースを割り当てた後、前記コマンドを受信するまで、該下りデータに対する送達確認情報を返送しないことを特徴とする請求項６に記載の同期確立方法。
【請求項８】
前記データ系列は、ランダムアクセスチャネル用のプリアンブルであり、
前記移動局は、前記上り同期要求の受信に成功した場合、ランダムアクセスチャネルを用いて、前記上り同期要求により指定されている前記プリアンブルを前記無線基地局に対して通知することを特徴とする請求項６に記載の同期確立方法。
【発明の詳細な説明】
【技術分野】
【０００１】
本発明は、上りリンクにおける同期を確立する同期確立方法、移動局及び無線基地局に関する。
【背景技術】
【０００２】
近年、３ＧＰＰで標準化が進められている「ＬＴＥ（Ｌｏｎｇ  Ｔｅｒｍ  Ｅｖｏｌｕｔｉｏｎ）」等の無線アクセス方式では、移動局ＵＥにおけるバッテリの節約の観点から、下りデータに対して「間欠受信（Ｄｉｓｃｏｎｔｉｎｕｏｕｓ  Ｒｅｃｅｐｔｉｏｎ）」を行う技術が知られている。
【０００３】
なお、かかる無線アクセス方式において、間欠受信状態である移動局ＵＥと無線基地局ｅＮＢとの間では、必ずしも上りリンクにおける同期を維持しておく必要が無い。
【０００４】
したがって、かかる無線アクセス方式では、間欠受信状態である移動局ＵＥ宛ての下りユーザデータが発生した場合で、かつ、当該移動局と無線基地局ｅＮＢとの間で上りリンクにおける同期が維持されていない場合には、図１２に示すように、無線基地局ｅＮＢと当該移動局ＵＥとの間で、上りリンクにおける同期を確立するように構成されている。
【０００５】
具体的には、図１２に示すように、ステップＳ１において、無線基地局ｅＮＢは、無線基地局ｅＮＢと移動局ＵＥとの間で上りリンクにおける同期を確立するために、移動局ＵＥに対して、「ＵＬ  ｓｙｎｃｈ  ｒｅｑｕｅｓｔ（上り同期要求）」を送信する。
【０００６】
ステップＳ２において、移動局ＵＥは、非同期ＲＡＣＨ（ランダムアクセスチャネル）を用いて、上述の「ＵＬ  ｓｙｎｃｈ  ｒｅｑｕｅｓｔ」によって指定された個別プリアンブルを送信する。
【０００７】
ここで、個別プリアンブルは、各移動局に対して個別に割り当てられた前記移動局を識別するためのデータ系列を意味する。なお、「ＵＬ  ｓｙｎｃｈ  ｒｅｑｕｅｓｔ」は、個別プリアンブル自身を含むのではなく、かかる個別プリアンブルを識別する識別子を含む。
【０００８】
ステップＳ３において、無線基地局ｅＮＢは、移動局ＵＥから送信された個別プリアンブルに応じて、移動局ＵＥの上りリンクにおける送信タイミングを調整するためのＴＡ（Ｔｉｍｉｎｇ  Ａｄｖａｎｃｅ）コマンドを生成して移動局ＵＥに対して送信する。
【０００９】
その後、ステップＳ４において、無線基地局ｅＮＢは、ＤＬ-ＳＣＨ（共通下りデータチャネル：Ｄｏｗｎｌｉｎｋ-Ｓｈａｒｅｄ  Ｃｈａｎｎｅｌ）を用いて、上述の下りユーザデータを、移動局ＵＥに対して送信する。
【非特許文献１】３ＧＰＰ  ＴＳＧ  ＲＡＮ  ＷＧ２  ＃５７、Ｒ２-０７０７８１
【発明の開示】
【発明が解決しようとする課題】
【００１０】
しかしながら、従来の無線アクセス方式では、上述のように、移動局ＵＥの受信状態を、ＤＲＸ状態（間欠受信状態）から連続受信状態に移行することによって下りユーザデータの送信を再開する手順において、無線基地局ｅＮＢと移動局ＵＥとの間で上りリンクにおける同期が確立する前に、移動局ＵＥが、無線基地局ｅＮＢから送信された下りデータ（下りユーザデータ等）に対してＨＡＲＱ（Ｈｙｂｒｉｄ  Ａｕｔｏｍａｔｉｃ  Ｒｅｐｅａｔ  Ｒｅｑｕｅｓｔ）プロセスにおける送達確認情報（ＡＣＫ/ＮＡＣＫ）を送信してしまうと、かかる送達確認情報による上りリンク干渉が発生してしまうという問題点があった。
【００１１】
かかる問題点が発生する状況の一例について、図１３を参照して説明する。
【００１２】
図１３に示すように、ステップＳ１において、無線基地局ｅＮＢは、移動局ＵＥに対して、「ＵＬ  ｓｙｎｃｈ  ｒｅｑｕｅｓｔ（上り同期要求）」を送信する。
【００１３】
ステップＳ２において、移動局ＵＥは、非同期ＲＡＣＨ（ランダムアクセスチャネル）を用いて、上述の「ＵＬ  ｓｙｎｃｈ  ｒｅｑｕｅｓｔ」によって指定された個別プリアンブルを送信する。
【００１４】
ステップＳ３において、無線基地局ｅＮＢは、移動局ＵＥから送信された個別プリアンブルに応じて、ＴＡコマンドを生成して移動局ＵＥに対して送信する。
【００１５】
しかしながら、移動局ＵＥは、かかるＴＡコマンドの受信に失敗したため、ステップＳ４において、非同期ＲＡＣＨを用いて、上述の個別プリアンブルを再送する。
【００１６】
ステップＳ５において、無線基地局ｅＮＢは、移動局ＵＥから再送された個別プリアンブルに応じて、ＴＡコマンドを生成して移動局ＵＥに対して送信する。
【００１７】
ステップＳ６において、移動局ＵＥは、再度、かかるＴＡコマンドの受信に失敗したため、非同期ＲＡＣＨを用いて、上述の個別プリアンブルを再送する。
【００１８】
しかしながら、今度は、無線基地局ｅＮＢが、移動局ＵＥから再送された個別プリアンブルの受信に失敗したため、上りリンクにおける同期が確立されていないにも関らず、ステップＳ７において、無線基地局ｅＮＢは、ＤＬ-ＳＣＨを用いた上述の下りユーザデータの送信を開始してしまう。
【００１９】
そして、ステップＳ８において、移動局ＵＥは、かかる下りデータに対する送達確認情報（ＡＣＫ/ＮＡＣＫ）を返送するため、かかる送達確認情報によって上りリンク干渉が発生してしまう。
【００２０】
そこで、本発明は、上述の課題に鑑みてなされたものであり、上りリンクにおける同期を確立する場合に、ＨＡＲＱプロセスにおける送達確認情報による上りリンク干渉の発生を抑制することができる移動局、無線基地局及び同期確立方法を提供することを目的とする。
【課題を解決するための手段】
【００２１】
本発明の第１の特徴は、上りリンクにおける同期を確立するように構成されている移動局であって、無線基地局が、前記移動局に対して、下りデータの送信用の無線リソースを割り当てた場合、上りリンクにおける送信タイミングを調整するためのコマンドを受信するまで、該下りデータに対する送達確認情報を返送しないように構成されていることを要旨とする。
【００２２】
本発明の第１の特徴において、前記無線リソースの割り当ては、セル内の移動局を個別に識別する識別子（例えば、Ｃ-ＲＮＴＩ）を用いて行われてもよい。
【００２３】
本発明の第１の特徴において、前記送達確認情報は、ＨＡＲＱプロセスにおけるＡＣＫ又はＮＡＣＫであってもよい。
【００２４】
本発明の第２の特徴は、移動局との間で上りリンクにおける同期を確立するように構成されている移動通信システムで用いられる無線基地局であって、前記移動局に対して割り当てた該移動局を識別するためのデータ系列を指定する上り同期要求を送信するように構成されている上り同期要求送信部と、前記移動局から前記データ系列を受信した場合、該移動局において前記上り同期要求の受信に成功したと判断して、上りリンクにおける送信タイミングを調整するためのコマンドを該移動局に対して送信するように構成されているコマンド送信部とを具備することを要旨とする。
【００２５】
本発明の第２の特徴において、前記データ系列は、ランダムアクセスチャネル用のプリアンブルであってもよい。
【００２６】
本発明の第３の特徴は、無線基地局と移動局との間で上りリンクにおける同期を確立する同期確立方法であって、無線基地局が、前記移動局に対して、下りデータの送信用の無線リソースを割り当てる工程と、前記無線基地局が、前記移動局に対して割り当てたデータ系列を指定する上り同期要求を送信する工程と、前記移動局が、前記上り同期要求の受信に成功した場合、前記上り同期要求により指定されている前記データ系列を前記無線基地局に対して通知する工程と、前記無線基地局が、前記移動局から前記データ系列を受信した場合、該移動局において前記上り同期要求の受信に成功したと判断して、上りリンクにおける送信タイミングを調整するためのコマンドを該移動局に対して送信する工程とを有することを要旨とする。
【００２７】
本発明の第３の特徴において、前記移動局は、前記無線基地局が該移動局に対して前記下りデータの送信用の無線リソースを割り当てた後、前記コマンドを受信するまで、該下りデータに対する送達確認情報を返送しなくてもよい。
【００２８】
本発明の第３の特徴において、前記データ系列は、ランダムアクセスチャネル用のプリアンブルであり、前記移動局は、前記上り同期要求の受信に成功した場合、ランダムアクセスチャネルを用いて、前記上り同期要求により指定されている前記プリアンブルを前記無線基地局に対して通知してもよい。
【発明の効果】
【００２９】
以上説明したように、本発明によれば、上りリンクにおける同期を確立する場合に、ＨＡＲＱプロセスにおける送達確認情報による上りリンク干渉の発生を抑制することができる移動局、無線基地局及び同期確立方法を提供することができる。
【発明を実施するための最良の形態】
【００３０】
（本発明の第１の実施形態に係る移動通信システムの構成）
図１を参照して、本発明の第１の実施形態に係る移動通信システムの構成について説明する。本実施形態では、ＬＴＥによって規定される無線アクセス方式を用いる移動通信システムを例として説明するが、本発明は、これに限定されるものではなく、その他の無線アクセス方式を用いた移動通信システムにも適用可能である。
【００３１】
図１に示すように、本実施形態に係る移動通信システムは、無線基地局ｅＮＢと、移動局ＵＥとを具備している。また、本実施形態では、移動通信システムが、移動局ＵＥの受信状態がＤＲＸ状態（間欠受信状態）から連続受信状態に移行する場合に、上りリンクにおける同期を確立するように構成されている例について説明されているが、本発明は、かかる場合に限定されることなく、移動通信システムが、上りリンクにおける同期を確立するように構成されている他の例についても適用可能である。
【００３２】
無線基地局ｅＮＢは、Ｌ１/Ｌ２制御情報生成部１１と、ＭＡＣ制御部１２と、送信部１７と、受信部１８とを具備している。
【００３３】
Ｌ１/Ｌ２制御情報生成部１１は、Ｌ１/Ｌ２制御情報を生成するように構成されている。
【００３４】
例えば、Ｌ１/Ｌ２制御情報として、移動局ＵＥに対して割り当てた下りデータの送信用の無線リソースを通知するための無線リソース通知用制御情報が挙げられる。
【００３５】
かかる無線リソース通知用制御情報には、ランダムアクセスに対する応答に対して割り当てられている共通識別子（ＲＡ-ＲＮＴＩ：Ｒａｎｄｏｍ  Ａｃｃｅｓｓ  −  Ｒａｄｉｏ  Ｎｅｔｗｏｒｋ  Ｔｅｍｐｏｒａｒｙ  Ｉｄｅｎｔｉｆｉｅｒ）ではなく、セル内の移動局ＵＥを個別に識別する識別子（Ｃ-ＲＮＴＩ：Ｃｅｌｌ−Ｒａｄｉｏ  Ｎｅｔｏｗｒｋ  Ｔｅｍｐｏｒａｒｙ  Ｉｄｅｎｔｉｆｉｅｒ）が含まれている。すなわち、本実施形態では、上述の無線リソースの割り当ては、ＲＡ-ＲＮＴＩではなく、Ｃ-ＲＮＴＩを用いて行われる。
【００３６】
また、本実施形態では、下りデータは、ＭＡＣ-ＰＤＵに対応するものとし、ＤＣＣＨやＤＴＣＨ等によって送信される下りユーザデータや、ＴＡコマンドや上り同期要求等を含むものとする。
【００３７】
ＭＡＣ制御部１２は、ＨＡＲＱ管理部１３と、ＲＡＣＨ管理部１４と、送信タイミング管理部１５と、ＭＡＣ-ＰＤＵ生成部１６と、スケジューラ１６ａとを具備している。
【００３８】
ＨＡＲＱ管理部１３は、ＨＡＲＱプロセスの送達確認情報（ＡＣＫ/ＮＡＣＫ）に基づく再送制御を行うように構成されている。
【００３９】
ＲＡＣＨ管理部１４は、移動局ＵＥに対して、非同期ＲＡＣＨによって送信すべき個別プリアンブル（各移動局ＵＥに対して個別に割り当てられたデータ系列）を割り当てるように構成されている。また、ＲＡＣＨ管理部１４は、移動局ＵＥから送信された非同期ＲＡＣＨに含まれる個別プリアンブルを識別するように構成されている。
【００４０】
送信タイミング管理部１５は、送信部１７によって上り同期要求が送信された後、移動局ＵＥから個別プリアンブルを受信した場合、かかる移動局ＵＥにおいて上り同期要求の受信に成功したと判断して、移動局ＵＥから通知された個別プリアンブルの受信タイミングに応じて、上りリンクにおける送信タイミングを調整するためのＴＡコマンドを生成するように構成されている。
【００４１】
ここで、上りリンクにおける送信タイミングには、上り制御チャネルや上りデータチャネルにおける送信タイミングが含まれる。
【００４２】
ＭＡＣ-ＰＤＵ生成部１６は、ＨＡＲＱ管理部１３とＲＡＣＨ管理部１４と送信タイミング管理部１５とからの指示等に応じて、スケジューラ１６ａによって送信機会が割り当てられた無線サブフレームにおいて、ＭＡＣ-ＰＤＵ（下りデータ）を生成するように構成されている。
【００４３】
具体的には、ＭＡＣ-ＰＤＵ生成部１６は、ＨＡＲＱ管理部１３からの再送制御指示に応じて、再送すべき下りユーザデータを含むＭＡＣ-ＰＤＵを生成するように構成されている。
【００４４】
また、ＭＡＣ-ＰＤＵ生成部１６は、ＲＡＣＨ管理部１４によって割り当てられた移動局ＵＥ用の個別プリアンブルを指定する上り同期要求を含むＭＡＣ-ＰＤＵを生成するように構成されている。
【００４５】
ここで、上り同期要求は、移動局ＵＥ用の個別プリアンブル自身を含むことによって、かかる移動局ＵＥ用の個別プリアンブルを指定してもよいし、移動局ＵＥ用の個別プリアンブル自身を含む代わりに、かかる移動局ＵＥ用の個別プリアンブルを識別する識別子を含むことによって、かかる移動局ＵＥ用の個別プリアンブルを指定してもよい。
【００４６】
さらに、ＭＡＣ-ＰＤＵ生成部１６は、送信タイミング管理部１５によって生成されたＴＡコマンドを含むＭＡＣ-ＰＤＵを生成するように構成されている。
【００４７】
送信部１７は、Ｌ１/Ｌ２制御チャネル（例えば、ＰＤＣＣＨ：Ｐｈｙｓｉｃａｌ  Ｄｏｗｎｌｉｎｋ  Ｃｏｎｔｒｏｌ  Ｃｈａｎｎｅｌ）を用いて、Ｌ１/Ｌ２制御情報を送信し、下りデータチャネル（例えば、ＤＬ-ＳＣＨ）を用いて、下りユーザデータや上り同期要求やＴＡコマンド等を含むＭＡＣ-ＰＤＵを送信するように構成されている。
【００４８】
受信部１８は、非同期ＲＡＣＨを介して、移動局ＵＥ用の個別プリアンブルを受信し、上りチャネル（例えば、ＰＵＣＣＨ：Ｐｈｙｓｉｃａｌ  Ｕｐｌｉｎｋ  Ｃｏｎｔｒｏｌ  Ｃｈａｎｎｅｌ、或いは、ＰＵＳＣＨ:Ｐｈｙｓｉｃａｌ  Ｕｐｌｉｎｋ  Ｓｈａｒｅｄ  Ｃｈａｎｎｅｌ）を介して、ＨＡＲＱプロセスにおける送達確認情報を受信するように構成されている。
【００４９】
移動局ＵＥは、受信部３１と、Ｌ１/Ｌ２制御情報処理部３２と、ＭＡＣ制御部３３と、送信部３８とを具備している。ここで、Ｌ１/Ｌ２制御情報処理部３２及びＭＡＣ制御部３３は、移動局ＵＥに搭載されるチップによって実現されるものであってもよい。
【００５０】
受信部３１は、Ｌ１/Ｌ２制御チャネルを介して、Ｌ１/Ｌ２制御情報を受信し、下りデータチャネルを用いて、下りユーザデータや上り同期要求やＴＡコマンド等を含むＭＡＣ-ＰＤＵを受信するように構成されている。
【００５１】
Ｌ１/Ｌ２制御情報処理部３２は、受信したＬ１/Ｌ２制御情報に応じて、所定のＬ１/Ｌ２制御処理を行うように構成されている。
【００５２】
ＭＡＣ制御部３３は、ＭＡＣ-ＰＤＵ解析部３４と、ＨＡＲＱ送信管理部３５と、ＲＡＣＨ送信管理部３６と、送信タイミング制御部３７とを具備している。
【００５３】
ＭＡＣ-ＰＤＵ解析部３４は、受信したＭＡＣ-ＰＤＵを解析するように構成されている。
【００５４】
ＨＡＲＱ送信管理部３５は、ＭＡＣ-ＰＤＵ解析部３４によるＭＡＣ-ＰＤＵの解析結果に応じて、ＨＡＲＱプロセスにおける送達確認情報（ＡＣＫ/ＮＡＣＫ）の送信を管理するように構成されている。
【００５５】
具体的には、無線基地局ｅＮＢが、移動局ＵＥに対して、ＲＡ-ＲＮＴＩではなく、Ｃ-ＲＮＴＩを用いて、下りデータ（ＭＡＣ-ＰＤＵ）の送信用の無線リソースを割り当てた場合、ＨＡＲＱ送信管理部３５は、上りリンクにおける送信タイミングを調整するためのＴＡコマンドを受信するまで、かかる下りデータに対する送達確認情報（ＨＡＲＱプロセスにおけるＡＣＫ/ＮＡＣＫ）を返送しないように送信部３８に指示する。
【００５６】
なお、ＨＡＲＱ送信管理部３５は、ＴＡコマンドを含むＭＡＣ-ＰＤＵに対して、ＨＡＲＱプロセスにおける送達確認情報を送信してもよいし、送信しなくてもよい。
【００５７】
ＲＡＣＨ送信管理部３６は、ＭＡＣ-ＰＤＵ解析部３４によるＭＡＣ-ＰＤＵの解析結果に応じて、非同期ＲＡＣＨの送信を管理するように構成されている。
【００５８】
具体的には、ＲＡＣＨ送信管理部３６は、無線基地局ｅＮＢからの上り同期要求が受信された場合、当該上り同期要求により指定されている個別プリアンブルを、非同期ＲＡＣＨを用いて送信するように送信部３８に対して指示する。
【００５９】
また、ＲＡＣＨ送信管理部３６は、所定期間、無線基地局ｅＮＢからのＴＡコマンドが受信されなかった場合、当該上り同期要求により指定されている個別プリアンブルを、非同期ＲＡＣＨを用いて、再度、送信するように送信部３８に対して指示する。
【００６０】
また、ＲＡＣＨ送信管理部３６は、上りリンクにおける同期が確立される前に、無線基地局ｅＮＢからの下りデータが受信された場合、当該上り同期要求により指定されている個別プリアンブルを、非同期ＲＡＣＨを用いて送信するように送信部３８に対して指示する。
【００６１】
送信タイミング制御部３７は、ＭＡＣ-ＰＤＵ解析部３４によるＭＡＣ-ＰＤＵの解析結果に応じて、上りリンクにおける送信タイミングを制御するように構成されている。
【００６２】
具体的には、送信タイミング制御部３７は、無線基地局ｅＮＢによって送信されたＴＡコマンド等に応じて、上りリンクにおける送信タイミングを制御することによって、上りリンクにおける同期を確立するように構成されている。
【００６３】
送信部３８は、ＨＡＲＱ送信管理部３５とＲＡＣＨ送信管理部３６と送信タイミング制御部３７とからの指示に応じて、非同期ＲＡＣＨを介して、移動局ＵＥ用の個別プリアンブルを送信し、上りチャネル（例えば、ＰＵＣＣＨ或いはＰＵＳＣＨ）を介して、ＨＡＲＱプロセスにおける送達確認情報（ＡＣＫ/ＮＡＣＫ）を送信するように構成されている。
【００６４】
（本発明の第１の実施形態に係る移動通信システムの動作）
図２乃至図１１を参照して、本発明の第１の実施形態に係る移動通信システムの動作について説明する。
【００６５】
第１に、図２乃至図７を参照して、本実施形態に係る無線基地局ｅＮＢの動作について説明する。
【００６６】
図２に示すように、無線基地局ｅＮＢが、手順Ａを開始すると、ステップＳ１０１において、ＲＡＣＨ管理部１４が、蓄えられているプリアンブルの集合の中から、移動局ＵＥ用の個別プリアンブルを選択する。
【００６７】
ステップＳ１０２において、ＭＡＣ-ＰＤＵ生成部１６が、かかる移動局ＵＥ用の個別プリアンブルを指定する上り同期要求を含むＭＡＣ-ＰＤＵを生成し、送信部１７が、ＤＬ-ＤＣＨを用いて、かかるＭＡＣ-ＰＤＵを移動局ＵＥに対して送信する。
【００６８】
ステップＳ１０３において、ＲＡＣＨ管理部１４が、ＲＡＣＨ受信タイマ（Ｌ１再送）を起動し、ステップＳ１０４において、無線基地局ｅＮＢが、手順Ｂ及び手順Ｃを起動する。
【００６９】
図３に示すように、無線基地局ｅＮＢが、手順Ｂを開始すると、ステップＳ１１１において、ＲＡＣＨ管理部１４が、ＲＡＣＨ受信タイマ（Ｌ１再送）が満了したか否かについて判定する。ここで、ＲＡＣＨ受信タイマ（Ｌ１再送）は、時間によって規定されるものであってもよいし、非同期ＲＡＣＨを用いた個別プリアンブルの再送回数によって規定されていてもよい。
【００７０】
ＲＡＣＨ受信タイマ（Ｌ１再送）が満了したと判定された場合、ステップＳ１１２において、ＲＡＣＨ管理部１４は、移動局ＵＥに対して割り当てた個別プリアンブルを解放する。
【００７１】
図４に示すように、無線基地局ｅＮＢが、手順Ｃを開始すると、ＲＡＣＨ管理部１４は、ステップＳ１２１において、プリアンブル検出処理を行い、ステップＳ１２２において、当該移動局ＵＥ用の個別プリアンブルを検出したか否かについて判定する。
【００７２】
当該移動局ＵＥ用の個別プリアンブルが検出されなかったと判定された場合、ＲＡＣＨ管理部１４は、ステップＳ１２３において、ＲＡＣＨ受信タイマ（Ｌ１再送）が満了したか否かについて判定する。
【００７３】
ＲＡＣＨ受信タイマ（Ｌ１再送）が満了していないと判定された場合、本動作は、ステップＳ１２１に戻り、ＲＡＣＨ受信タイマ（Ｌ１再送）が満了したと判定された場合、本動作は、手順ＡのＳｔａｒｔに戻る。
【００７４】
一方、当該移動局ＵＥ用の個別プリアンブルが検出されたと判定された場合、送信タイミング管理部１５が、ステップＳ１２４において、かかる個別プリアンブルの受信タイミングを検出する。
【００７５】
ステップＳ１２５において、送信タイミング管理部１５が、当該個別プリアンブルの受信タイミングに応じて、ＴＡコマンドを生成し、ＭＡＣ-ＰＤＵ生成部１６が、生成したＴＡコマンドを含むＭＡＣ-ＰＤＵを生成し、送信部１７が、下りデータチャネルを用いて、かかるＭＡＣ-ＰＤＵを送信する。
【００７６】
ステップＳ１２６において、スケジューラ１６ａは、送信再開判定用タイマを起動し、ＲＡＣＨ管理部１４は、ステップＳ１２７において、プリアンブル検出処理を行い、ステップＳ１２８において、当該移動局ＵＥ用の個別プリアンブルを検出したか否かについて判定する。
【００７７】
当該移動局ＵＥ用の個別プリアンブルが検出されたと判定された場合、スケジューラ１６ａが、ステップＳ１２９において、送信再開判定用タイマを停止する。
【００７８】
一方、当該移動局ＵＥ用の個別プリアンブルが検出されなかったと判定された場合、スケジューラ１６ａは、ステップＳ１３０において、送信再開判定用タイマが満了したか否かについて判定する。
【００７９】
送信再開判定用タイマが満了したと判定された場合、ステップＳ１３１において、無線基地局ｅＮＢが、手順Ｄ及び手順Ｅを起動し、送信再開判定用タイマが満了していないと判定された場合、本動作は、ステップＳ１２７に戻る。
【００８０】
図５に示すように、無線基地局ｅＮＢが、手順Ｄを開始すると、ステップＳ１４１において、パラメータＮａｃｋｎａｃｋ及びＮｄｔｘを初期化する。
【００８１】
ステップＳ１４２において、ＭＡＣ-ＰＤＵ生成部１６が、スケジューラ１６ａによって送信機会が割り当てられた無線サブフレームにおいて、下りユーザデータを含むＭＡＣ-ＰＤＵを生成し、送信部１７が、下りデータチャネルを介して、かかるＭＡＣ-ＰＤＵの新規送信或いは再送を再開する。
【００８２】
ステップＳ１４３において、ＨＡＲＱ管理部１３が、ＨＡＲＱプロセスにおける送達確認情報（ＡＣＫ/ＮＡＣＫ）を監視し、かかるＨＡＲＱプロセスにおける送達確認情報を受信した場合、ステップＳ１４４において、Ｎａｃｋｎａｃｋを１だけ増加させ、かかるＨＡＲＱプロセスにおける送達確認情報を受信しなかった場合（ＤＴＸ状態である場合）、ステップＳ１４７において、Ｎｄｔｘを１だけ増加させる。
【００８３】
ここで、かかるＨＡＲＱプロセスにおける送達確認情報を連続して受信した場合、ステップＳ１４４において、Ｎａｃｋｎａｃｋを１だけ増加させ、かかるＨＡＲＱプロセスにおける送達確認情報を連続して受信しなかった場合（ＤＴＸ状態である場合）、ステップＳ１４７において、Ｎｄｔｘを１だけ増加させてもよい。
【００８４】
ステップＳ１４５において、Ｎａｃｋｎａｃｋが所定閾値Ｍ１以上であるか否かについて判定される。所定閾値Ｍ１以上であると判定された場合、ＲＡＣＨ管理部１４が、移動局ＵＥ用に割り当てた個別プリアンブルを解放し、所定閾値Ｍ１以上でないと判定された場合、本動作は、ステップＳ１４２に戻る。
【００８５】
また、ステップＳ１４８において、Ｎｄｔｘが所定閾値Ｍ２以上であるか否かについて判定される。所定閾値Ｍ２以上であると判定された場合、本動作は、手順ＦのＳｔａｒｔに進み、所定閾値Ｍ２以上でないと判定された場合、本動作は、ステップＳ１４２に戻る。  図６に示すように、無線基地局ｅＮＢが、手順Ｅを開始すると、ステップＳ１５１において、ＲＡＣＨ管理部１４が、プリアンブル検出処理を行い、ステップＳ１５２において、当該移動局ＵＥ用の個別プリアンブルを検出したか否かについて判定する。
【００８６】
当該移動局ＵＥ用の個別プリアンブルが検出されたと判定された場合、送信タイミング管理部１５が、ステップＳ１５３において、当該移動局ＵＥ用の個別プリアンブルの受信タイミングを検出し、本動作は、手順ＦのＳｔａｒｔに進む。
【００８７】
一方、当該移動局ＵＥ用の個別プリアンブルが検出されなかったと判定された場合、本動作は、ステップＳ１５１に戻る。
【００８８】
図７に示すように、無線基地局ｅＮＢが、手順Ｆを開始すると、ステップＳ１６１において、ＭＡＣ-ＰＤＵ生成部１６による下りユーザデータを含むＭＡＣ-ＰＤＵの生成処理及び送信部１７による当該ＭＡＣ-ＰＤＵの送信処理を停止する。
【００８９】
ステップＳ１６１において、ＲＡＣＨ受信タイマが満了したか否かについて判定され、ＲＡＣＨ受信タイマが満了したと判定された場合、本動作は、手順ＡのＳｔａｒｔに戻り、ＲＡＣＨ受信タイマが満了していないと判定された場合、本動作は、手順ＣのステップＳ１２５に戻る。
【００９０】
第２に、図８乃至図１０を参照して、本実施形態に係る移動局ＵＥの動作について説明する。
【００９１】
図８に示すように、ＤＲＸ状態の移動局ＵＥが、手順Ａを開始すると、ステップＳ２０１において、受信部３１が、当該移動局ＵＥの受信可能な機会（ＤＲＸ周期）において、Ｌ１/Ｌ２制御チャネルを受信する。
【００９２】
ステップＳ２０２において、受信部３１が、Ｌ１/Ｌ２制御チャネルの受信に成功すると、ステップＳ２０３において、Ｌ１/Ｌ２制御情報処理部３２が、Ｌ１/Ｌ２制御チャネルを介して送信されたＬ１/Ｌ２制御情報（無線リソース通知用制御情報）に応じて、ＤＲＸ周期を変更する（例えば、移動局ＵＥの受信状態を連続受信状態に変更する、或いは、ＤＲＸ周期を短くする）。
【００９３】
一方、ステップＳ２０２において、受信部３１が、Ｌ１/Ｌ２制御チャネルの受信に失敗すると、本動作は、ステップＳ２０１に戻る。
【００９４】
ステップＳ２０４において、受信部３１が、当該移動局ＵＥの受信可能な機会で受信した下りデータチャネルを復号し、かかる復号に成功した場合、本動作は、ステップＳ２０６に進み、かかる復号に失敗した場合、本動作は、ステップＳ２０１に戻る（ステップＳ２０５）。
【００９５】
ステップＳ２０６において、ＭＡＣ-ＰＤＵ解析部３４は、復号に成功した下りデータチャネルによって送信されたＭＡＣ-ＰＤＵが、上り同期要求を含むか否かについて判定する。
【００９６】
上り同期要求含むと判定された場合、ステップＳ２０７において、移動局ＵＥは、手順Ｂ及び手順Ｃを起動し、上り同期要求含むまないと判定された場合、本動作は、ステップＳ２０１に戻る。
【００９７】
図９に示すように、移動局ＵＥが、手順Ｂを開始すると、ステップＳ２１１において、ＲＡＣＨ送信タイマ（Ｌ１再送）が起動され、ステップＳ２１２において、ＲＡＣＨ送信管理部３６が、当該移動局ＵＥが非同期ＲＡＣＨを送信することができる機会であるか否かについて判定する。
【００９８】
かかる機会であると判定された場合、ステップＳ２１３において、ＲＡＣＨ送信管理部３６が、ＲＡＣＨ送信タイマ（Ｌ１再送）が満了しているか否かについて判定する。
【００９９】
ＲＡＣＨ送信タイマ（Ｌ１再送）が満了していないと判定された場合、ステップＳ２１４において、ＲＡＣＨ送信管理部３６が、ＴＡコマンドが受信されているか否かについて判定する。一方、ＲＡＣＨ送信タイマ（Ｌ１再送）が満了していると判定された場合、本動作は、終了する。
【０１００】
ステップＳ２１４において、ＴＡコマンドが受信されていないと判定された場合、ＲＡＣＨ送信管理部３６が、送信部３８を介して、非同期ＲＡＣＨを用いて、個別プリアンブルを送信する。一方、ＴＡコマンドが受信されていると判定された場合、本動作は、終了する。
【０１０１】
図１０に示すように、移動局ＵＥが、手順Ｃを開始すると、ステップＳ２２１において、受信部３１が、当該移動局ＵＥの受信可能な機会（ＤＲＸ周期）において、Ｌ１/Ｌ２制御チャネルを受信する。
【０１０２】
ステップＳ２２２において、受信部３１が、Ｌ１/Ｌ２制御チャネルの受信に成功すると、ステップＳ２２３において、当該移動局ＵＥの受信可能な機会で受信した下りデータチャネルを復号し、かかる復号に成功した場合、本動作は、ステップＳ２２５に進み、かかる復号に失敗した場合、本動作は、ステップＳ２２１に戻る（ステップＳ２２４）。
【０１０３】
一方、ステップＳ２２２において、受信部３１が、Ｌ１/Ｌ２制御チャネルの受信に失敗すると、本動作は、ステップＳ２２１に戻る。
【０１０４】
ステップＳ２２５において、ＨＡＲＱ送信管理部３５は、ＨＡＲＱプロセスにおける送達確認信号（ＡＣＫ/ＮＡＣＫ）を送信することができるように設定されているか否かについて判定する。
【０１０５】
ＨＡＲＱプロセスにおける送達確認信号（ＡＣＫ/ＮＡＣＫ）を送信することができるように設定されていると判定された場合、ステップＳ２２６において、ＨＡＲＱ送信管理部３５は、送信部３８を介して、復号に成功した下りデータチャネルに含まれるＭＡＣ-ＰＤＵに対するＡＣＫ/ＮＡＣＫを送信する。
【０１０６】
一方、ＨＡＲＱプロセスにおける送達確認信号（ＡＣＫ/ＮＡＣＫ）を送信することができるように設定されていないと判定された場合、ステップＳ２２７において、ＲＡＣＨ送信管理部３６が、復号に成功した下りデータチャネルに含まれるＭＡＣ-ＰＤＵが、ＴＡコマンドを含むか否かについて判定する。
【０１０７】
ＴＡコマンドを含むと判定された場合、ステップＳ２２８において、ＲＡＣＨ送信管理部３６が、無線基地局ｅＮＢによって割り当てられていた当該移動局ＵＥ用の個別プリアンブルを解放し、ステップＳ２２９において、ＨＡＲＱ送信管理部３５が、ＨＡＲＱプロセスにおける送達確認信号（ＡＣＫ/ＮＡＣＫ）を送信することができるように設定し、ステップＳ２３０において、送信タイミング制御部３７が、受信したＴＡコマンドに応じて、上りリンクにおける送信タイミングを補正する。
【０１０８】
第３に、図１１を参照して、本実施形態に係る移動通信システムにおいて、移動局ＵＥの受信状態がＤＲＸ状態から連続受信状態に移行する場合に、上りリンクにおける同期を確立する様子について説明する。
【０１０９】
図１１に示すように、ステップＳ８では、無線基地局ｅＮＢと移動局ＵＥとの間で、上りリンクにおける同期が確立されていないため、移動局ＵＥは、ステップＳ７において送信されたＤＬ-ＳＣＨ（下りデータチャネル）に含まれるＭＡＣ-ＰＤＵに対して、ＨＡＲＱプロセスにおける送達確認情報（ＡＣＫ/ＮＡＣＫ）を送信する代わりに、非同期ＲＡＣＨを用いて、移動局ＵＥ用の個別プリアンブルを送信する。
【０１１０】
（本発明の第１の実施形態に係る移動通信システムの作用・効果）
本発明の第１の実施形態に係る移動通信システムによれば、移動局ＵＥの受信状態が「ＤＲＸ状態（間欠受信状態）」から連続受信状態に移行する場合に、ＨＡＲＱプロセスにおける送達確認情報（ＡＣＫ/ＮＡＣＫ）による上りリンク干渉の発生を抑制することができる。
【０１１１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１１２】
【図１】本発明の第１の実施形態に係る無線基地局及び移動局の機能ブロック図である。
【図２】本発明の第１の実施形態に係る無線基地局の手順Ａの動作を示すフローチャートである。
【図３】本発明の第１の実施形態に係る無線基地局の手順Ｂの動作を示すフローチャートである。
【図４】本発明の第１の実施形態に係る無線基地局の手順Ｃの動作を示すフローチャートである。
【図５】本発明の第１の実施形態に係る無線基地局の手順Ｄの動作を示すフローチャートである。
【図６】本発明の第１の実施形態に係る無線基地局の手順Ｅの動作を示すフローチャートである。
【図７】本発明の第１の実施形態に係る無線基地局の手順Ｆの動作を示すフローチャートである。
【図８】本発明の第１の実施形態に係る移動局の手順Ａの動作を示すフローチャートである。
【図９】本発明の第１の実施形態に係る移動局の手順Ｂの動作を示すフローチャートである。
【図１０】本発明の第１の実施形態に係る移動局の手順Ｃの動作を示すフローチャートである。
【図１１】本発明の第１の実施形態に係る移動通信システムにおけるＤＲＸ状態からの再開手順を説明するための図である。
【図１２】従来技術に係る移動通信システムにおけるＤＲＸ状態からの再開手順を説明するための図である。
【図１３】従来技術に係る移動通信システムにおけるＤＲＸ状態からの再開手順の問題点を説明するための図である。
【符号の説明】
【０１１３】
ｅＮＢ…無線基地局
１１…Ｌ１/Ｌ２制御情報生成部
１２、３３…ＭＡＣ制御部
１３…ＨＡＲＱ管理部
１４…ＲＡＣＨ管理部
１５…送信タイミング管理部
１６…ＭＡＣ-ＰＤＵ生成部
１６ａ…スケジューラ
１７、３８…送信部
１８、３１…受信部
ＵＥ…移動局
３２…Ｌ１/Ｌ２制御情報処理部
３４…ＭＡＣ-ＰＤＵ解析部
３５…ＨＡＲＱ送信管理部
３６…ＲＡＣＨ送信管理部
３７…送信タイミング制御部
【図１】
2008244526.tif 000003
【図２】
2008244526.tif 000004
【図３】
2008244526.tif 000005
【図４】
2008244526.tif 000006
【図５】
2008244526.tif 000007
【図６】
2008244526.tif 000008
【図７】
2008244526.tif 000009
【図８】
2008244526.tif 000010
【図９】
2008244526.tif 000011
【図１０】
2008244526.tif 000012
【図１１】
2008244526.tif 000013
【図１２】
2008244526.tif 000014
【図１３】
2008244526.tif 000015